(57)【要約】キャリア集約のための方法および装置が、開示される。一実施形態では、第１の無線通信ノードによって実施される方法は、最初に、情報を含むダウンリンク信号を第２の無線通信ノードから受信することと、第１の情報の少なくとも一部に基づいて、第１のリソース情報を決定し、サイドリンク通信を第１の無線通信ノードと少なくとも１つの第３の無線通信ノードとの間で実施することとを含む。一実施形態において、第１の情報は、前記サイドリンク通信のためのサービスタイプと要求されるコンポーネントキャリアの数との間の第１のマッピングを含む。
2021503727.tif 000002
【特許請求の範囲】
【請求項１】
第１の無線通信ノードによって実施される方法であって、前記方法は、
第１の情報を含むダウンリンク信号を第２の無線通信ノードから受信することと、
前記第１の情報の少なくとも一部に基づいて、第１のリソース情報を決定し、前記第１の無線通信ノードと少なくとも１つの第３の無線通信ノードとの間のサイドリンク通信を実施することと
を含む、方法。
【請求項２】
前記第１の情報は、以下：チャネルビジー率の少なくとも１つの閾値、ＰＣ５リンク品質の少なくとも１つの閾値、前記サイドリンク通信のためのサービスタイプと要求されるコンポーネントキャリアの数との間の第１のマッピング、前記サイドリンク通信のためのサービスの質要件と要求されるコンポーネントキャリアの数との間の第２のマッピング、前記サイドリンク通信のための前記サービスタイプと１つ以上の周波数識別との間の第３のマッピング、前記サイドリンク通信のための前記サービスの質要件と１つ以上の周波数識別との間の第４のマッピング、対応する周波数上での前記サイドリンク通信のための利用可能な時間ドメインリソース、および、前記サイドリンク通信のための利用可能な周波数ドメインリソースのうちの少なくとも１つを含む、請求項１に記載の方法。
【請求項３】
少なくとも前記第１、第２、第３、第４のマッピングに基づいて、候補キャリアの第１のサブセットを決定することと、
前記チャネルビジー率およびＰＣ５リンク品質のうちの少なくとも１つを測定することと、
前記チャネルビジー率およびＰＣ５リンク品質の測定のうちの少なくとも１つを前記それぞれの閾値と比較し、候補キャリアの第２のサブセットを前記第１のサブセットから選択することと、
前記第１のリソース情報を決定し、前記第１の無線通信ノードと前記少なくとも１つの第３の無線通信ノードとの間の前記サイドリンク通信を実施することと
をさらに含む、請求項２に記載の方法。
【請求項４】
第２の情報を含むサイドリンク信号を前記少なくとも１つの第３の無線通信ノードから受信することと、
前記第２の情報の少なくとも一部に基づいて、第２のリソース情報を決定し、前記第１の無線通信ノードと前記少なくとも１つの第３の無線通信ノードとの間の前記サイドリンク通信を実施することと
をさらに含む、請求項１に記載の方法。
【請求項５】
前記第１の情報の前記一部および前記第２の情報の前記一部に基づいて、第３のリソース情報を決定し、前記第１の無線通信ノードと前記少なくとも１つの第３の無線通信ノードとの間の前記サイドリンク通信を実施することをさらに含む、請求項４に記載の方法。
【請求項６】
前記第２の情報は、以下：前記サイドリンク通信のための前記少なくとも１つの第３の無線通信ノードのキャリア集約関連能力、要求されるコンポーネントキャリアの数、および利用可能な周波数ドメインリソース、Ｒｘチェーンの数のうちの少なくとも１つを含む、請求項４に記載の方法。
【請求項７】
第２の無線通信ノードによって実施される方法であって、前記方法は、情報を含むダウンリンク信号を第１の無線通信ノードに伝送することを含み、
前記情報は、前記第１の無線通信ノードと少なくとも１つの第３の無線通信ノードとの間のサイドリンク通信を実施するためのリソース情報を決定するために、前記第１の無線通信ノードによって使用される、方法。
【請求項８】
前記第１の情報は、以下：チャネルビジー率の少なくとも１つの閾値、ＰＣ５リンク品質の少なくとも１つの閾値、前記サイドリンク通信のためのサービスタイプと要求されるコンポーネントキャリアの数との間の第１のマッピング、前記サイドリンク通信のためのサービスの質要件と要求されるコンポーネントキャリアの数との間の第２のマッピング、前記サイドリンク通信のための前記サービスタイプと１つ以上の周波数識別との間の第３のマッピング、前記サイドリンク通信のための前記サービスの質要件と１つ以上の周波数識別との間の第４のマッピング、対応する周波数上での前記サイドリンク通信のための利用可能な時間ドメインリソース、および、前記サイドリンク通信のための利用可能な周波数ドメインリソースのうちの少なくとも１つを含む、請求項７に記載の方法。
【請求項９】
前記１つ以上の周波数識別、前記時間ドメインリソース、および前記周波数ドメインリソースの各々は、前記第２の無線通信ノードによってサポートされる、請求項７に記載の方法。
【請求項１０】
前記サービスの質要件は、以下のパラメータ：データ優先順位、データパケット遅延予算、パケット誤差レート、データレート、および、前記サイドリンク通信において伝送されるべき前記データパケットの信頼性要件を含むそれらのうちの少なくとも１つを含む、請求項７に記載の方法。
【請求項１１】
第１の無線通信ノードによって実施される方法であって、前記方法は、
アップリンク信号を第２の無線通信ノードに伝送することであって、前記アップリンク信号は、前記第１の無線通信ノードが少なくとも１つの第３の無線通信ノードとサイドリンク通信を実施するためのリソース情報を前記第２の無線通信ノードが決定するための補助情報を含む、ことと、
前記リソース情報を含むダウンリンク信号を前記第２の無線通信ノードから受信することと、
前記リソース情報を使用して、少なくとも１つの第３の無線通信ノードと前記サイドリンク通信を実施することと
を含む、方法。
【請求項１２】
前記アップリンク信号は、無線リソース制御信号またはＭＡＣ制御要素内に含まれる、請求項１１に記載の方法。
【請求項１３】
前記補助情報は、以下：論理チャネルグループ識別、サービスタイプ、サービスの質要件、無線ベアラ識別、論理チャネル識別、および、前記第１の無線通信モードのキャリア集約関連能力、周波数識別のうちの少なくとも１つを含む、請求項１１に記載の方法。
【請求項１４】
前記論理チャネルグループ識別は、１つ以上の構成されたマッピングに基づいて、前記サービスタイプおよび／または前記サービスの質要件を暗に示し、前記論理チャネル識別は、１つ以上の構成されたマッピングに基づいて、前記サービスタイプおよび／または前記サービスの質要件を暗に示し、前記無線ベアラ識別は、１つ以上の構成されたマッピングに基づいて、前記サービスタイプおよび／または前記サービスの質要件を暗に示す、請求項１１に記載の方法。
【請求項１５】
前記リソース情報は、以下：前記サイドリンク通信のための利用可能な時間ドメインリソース、前記サイドリンク通信のための利用可能な周波数ドメインリソース、および、前記サイドリンク通信のための要求されるコンポーネントキャリアの数のうちの少なくとも１つを含む、請求項１１に記載の方法。
【請求項１６】
第２の無線通信ノードによって実施される方法であって、前記方法は、
アップリンク信号を第１の無線通信ノードから受信することであって、前記アップリンク信号は、補助情報を含む、ことと、
前記第１の無線通信ノードが少なくとも１つの第３の無線通信ノードとサイドリンク通信を実施するためのリソース情報を決定することと
を含む、方法。
【請求項１７】
前記アップリンク信号は、無線リソース制御信号またはＭＡＣ制御要素内に含まれる、請求項１６に記載の方法。
【請求項１８】
前記補助情報は、以下：論理チャネルグループ識別、サービスタイプ、サービスの質要件、無線ベアラ識別、論理チャネル識別、および前記第１の無線通信モードのキャリア集約関連能力のうちの少なくとも１つを含む、請求項１６に記載の方法。
【請求項１９】
前記サービスの質要件は、以下のパラメータ：データ優先順位、データパケット遅延予算、パケット誤差レート、データレート、および、前記サイドリンク通信において伝送されるべき前記データパケットの信頼性要件を含むそれらのうちの少なくとも１つを含む、請求項１８に記載の方法。
【請求項２０】
前記論理チャネルグループ識別は、１つ以上の事前に構成されたマッピングに基づいて、前記サービスタイプおよび／または前記サービスの質要件を暗に示し、前記無線ベアラ識別は、１つ以上の事前に構成されたマッピングに基づいて、前記サービスタイプおよび／または前記サービスの質要件を暗に示す、請求項１６に記載の方法。
【請求項２１】
前記リソース情報は、以下：前記サイドリンク通信のための利用可能な時間ドメインリソース、前記サイドリンク通信のための利用可能な周波数ドメインリソース、および、前記サイドリンク通信のための要求されるコンポーネントキャリアの数のうちの少なくとも１つを含む、請求項１６に記載の方法。
【請求項２２】
請求項１−２１のいずれかに記載の方法を実行するように構成されたコンピューティングデバイス。
【請求項２３】
請求項１−２１のいずれかに記載の方法を実行するためのコンピュータ実行可能命令を記憶している非一過性コンピュータ読み取り可能な媒体。
【発明の詳細な説明】
【技術分野】
【０００１】
本開示は、概して、無線通信に関し、より具体的には、サイドリンク通信におけるキャリア集約のための方法および装置に関する。
【背景技術】
【０００２】
サイドリンク（ＳＬ）通信は、２つ以上のユーザ機器デバイス（以降、「ＵＥ」）間の直接無線電波通信である。ＳＬ通信では、互いに地理的に近接した２つ以上のＵＥが、ｅＮｏｄｅＢまたは基地局（以降、「ＢＳ」）、またはコアネットワークを通さずに、直接通信することができる。ＳＬ通信におけるデータ伝送は、したがって、例えば、データをＢＳに伝送すること（すなわち、アップリンク伝送）、データをＢＳから受信すること（すなわち、ダウンリンク伝送）を行う典型的セルラーネットワーク通信と異なる。ＳＬ通信では、データは、統合エアインターフェース、例えば、ＰＣ５インターフェースを通して、ＢＳを通過せずに、ソースＵＥ（すなわち、伝送側ＵＥ）から標的ＵＥ（すなわち、受信側ＵＥ）に直接伝送される。
【０００３】
キャリア集約（以降、「ＣＡ」）は、ＬＴＥ（ロングタームエボリューション）アドバンスの主要な特徴のうちの１つであり、いくつかの別個のキャリア（以降、「コンポーネントキャリア」または「ＣＣ」）が、ダウンリンクおよび／またはアップリンクのために組み合わせられる。組み合わせのためのキャリアは、連続しているか、または同一周波数帯域内にあり得、ＬＥＴのＦＤＤ（周波数ドメイン分割）およびＴＤＤ（時間ドメイン分割）バリアントの両方に適用されることができる。これは、増加したピークユーザデータレートおよびネットワークの増加した全体的容量を可能にする。現在、ＬＥＴアドバンストにおけるＣＡは、その８００ＭＨｚおよび１．８ＧＨｚ帯域内の１０ＭＨｚキャリアを組み合わせ、１５０Ｍｂｐｓのピークダウンリンクユーザデータレートを達成することを可能にする。ＬＴＥおよび５Ｇ通信のためのＣＡにおける将来的発展は、ＣＣの数の増加、したがって、ダウンリンク（ＤＬ）およびアップリンク（ＵＬ）の両方のための総帯域幅、スモールセルおよび異種ネットワークにおけるＣＡの適用、ならびにフレキシブルなＣＡの有効化を含む。
【０００４】
ＳＬ通信は、デバイス間（Ｄ２Ｄ）または車車間・路車間等の通信において、サポートされ、典型的に使用されている。ＳＬ通信では、少なくとも別のＵＥと直接通信し、ＳＬ通信を実現させ得る少なくとも１つのＵＥが存在する。高信頼性で短待ち時間、高容量、かつ増加したデータレートの要件を満たすために、ＰＣ５−ＣＡ（最大８つのＣＣ）が、使用されることができる。現在、ＵＥは、それらのデータサービスタイプに基づいて、ＰＣ５−ＣＡのための適切なＣＣを選択することができ、データサービスタイプから、周波数が、サービスタイプと周波数との間の所定のマッピング関係に基づいて導出されることができる。実際、コストおよび実際の展開を検討すると、いくつかのＵＥは、その受信能力に伴って限定される（例えば、同時伝送のためにサポートされるＣＣの数）。したがって、ＳＬ通信におけるＰＣ５−ＣＡのための動的配分周波数ドメインリソース（例えば、好適なＣＣ）のための適切なプロトコルを開発する必要性が存在する。
【発明の概要】
【課題を解決するための手段】
【０００５】
本明細書に開示される例示的実施形態は、従来技術において提示される問題のうちの１つ以上のものに関連する問題を解決し、かつ添付の図面と関連して検討されるときに以下の詳細な説明を参照することによって容易に明白であろう追加の特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本発明の範囲内に留まったまま行われることができることが、本開示を熟読する当業者に明白であろう。
【０００６】
一実施形態では、第１の無線通信ノードによって実施される方法は、第１の情報を含むダウンリンク信号を第２の無線通信ノードから受信することと、第１の情報の少なくとも一部に基づいて、第１のリソース情報を決定し、第１の無線通信ノードと少なくとも１つの第３の無線通信ノードとの間のサイドリンク通信を実施することとを含む。
【０００７】
別の実施形態では、第２の無線通信ノードによって実施される方法は、情報を含むダウンリンク信号を第１の無線通信ノードに伝送することを含み、情報は、第１の無線通信ノードと少なくとも１つの第３の無線通信ノードとの間のサイドリンク通信を実施するためのリソース情報を決定するために、第１の無線通信ノードによって使用される。
【０００８】
さらに別の実施形態では、第１の無線通信ノードによって実施される方法は、アップリンク信号を第２の無線通信ノードに伝送することであって、アップリンク信号は、第２の無線通信ノードが、第１の無線通信ノードが少なくとも１つの第３の無線通信ノードとサイドリンク通信を実施するためのリソース情報を決定するための補助情報を含む、ことと、リソース情報を含むダウンリンク信号を第２の無線通信ノードから受信することと、リソース情報を使用して、少なくとも１つの第３の無線通信ノードとサイドリンク通信を実施することとを含む。
【０００９】
さらに別の実施形態では、第２の無線通信ノードによって実施される方法は、アップリンク信号を第１の無線通信ノードから受信することであって、アップリンク信号は、補助情報を含む、ことと、第１の無線通信ノードが少なくとも１つの第３の無線通信ノードとサイドリンク通信を実施するためのリソース情報を決定することとを含む。
【００１０】
本開示の側面は、付随の図と併せて熟読されるとき、以下の詳細な説明から最良に理解される。種々の特徴は、必ずしも、正確な縮尺で描かれていないことに留意されたい。実際、種々の特徴の寸法および幾何学の形状は、議論を明確にするために、恣意的に拡大または縮小され得る。
【図面の簡単な説明】
【００１１】
【図１Ａ】図１Ａは、本開示のいくつかの実施形態によるサイドリンク通信におけるシナリオを図示する例示的無線通信ネットワークを図示する。
【００１２】
【図１Ｂ】図１Ｂは、本開示のいくつかの実施形態によるダウンリンク、アップリンク、およびサイドリンク通信信号を伝送および受信するための例示的無線通信システムのブロック図を図示する。
【００１３】
【図２】図２は、本開示のいくつかの実施形態によるサイドリンク通信におけるＰＣ５キャリア集約のための好適なコンポーネントキャリアを取得する方法を図示する。
【００１４】
【図３】図３は、本開示のいくつかの実施形態によるサイドリンク通信におけるＰＣ５キャリア集約のための好適なコンポーネントキャリアを取得する方法を図示する。
【発明を実施するための形態】
【００１５】
本発明の種々の例示的実施形態は、当業者が本発明を作製および使用することを可能にするために、付随の図を参照して下で説明される。当業者に明白であろうように、本開示を熟読後、本明細書に説明される例の種々の変更または修正が、本発明の範囲から逸脱することなく、行われることができる。したがって、本発明は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序もしくは階層は、本発明の範囲内に留まったまま、並べ替えられることができる。したがって、当業者は、本明細書に開示される方法および技法が、種々のステップまたは行為をサンプル順序において提示し、本発明が、明示的にそうではないことが述べられない限り、提示される具体的順序または階層に限定されないことを理解するであろう。
【００１６】
本発明の実施形態は、付随の図面を参照して詳細に説明される。同一または類似コンポーネントは、同一または類似参照番号によって指定され得るが、それらは、異なる図面に図示される。当技術分野において周知の構造またはプロセスの詳細な説明は、本発明の主題を曖昧にすることを回避するために省略され得る。さらに、用語は、本発明の実施形態におけるその機能性を考慮して定義され、ユーザまたはオペレータの意図、用途等に従って変動し得る。したがって、定義は、本明細書の全体的内容に基づいて行われるべきである。
【００１７】
図１Ａは、本開示のいくつかの実施形態による、セルラーネットワークのカバレッジ内および外のサイドリンク通信を図示する例示的無線通信ネットワーク１００を図示する。無線通信システムでは、ネットワーク側通信ノードまたは基地局（ＢＳ）は、Ｎｏｄｅ  Ｂ、Ｅ−ｕｔｒａｎ  Ｎｏｄｅ  Ｂ（進化型Ｎｏｄｅ  Ｂ、ｅＮｏｄｅＢ、またはｅＮＢとしても知られる）、ピコステーション、フェムトステーション等であることができる。端末側ノードまたはユーザ機器（ＵＥ）は、携帯電話、スマートフォン、携帯情報端末（ＰＤＡ）、タブレット、ラップトップコンピュータのような長距離通信システム、または、例えば、ウェアラブルデバイス、車載通信システムを伴う車両等の短距離通信システムであることができる。ネットワークおよび端末側通信ノードは、それぞれ、ＢＳ１０２およびＵＥ１０４によって表され、それらは、概して、以降、本開示における全ての実施形態では、「通信ノード」と称される。そのような通信ノードは、本発明の種々の実施形態に従って、無線および／または有線通信が可能であり得る。全ての実施形態は、単に、好ましい例であり、本開示を限定することを意図するものではないことに留意されたい。故に、システムは、本開示の範囲内に留まったまま、ＵＥおよびＢＳの任意の所望の組み合わせを含み得ることを理解されたい。
【００１８】
図１Ａを参照すると、無線通信ネットワーク１００は、ＢＳ１０２と、ＵＥ１０４ａ、ＵＥ１０４ｂ、およびＵＥ１０４ｃとを含む。ＵＥ１０４ａは、セル内で移動している車両（Ｖ−ＵＥ）または歩行者（Ｐ−ＵＥ）であり得、一方、第１の周波数ｆ１で動作するＢＳ１０２との直接通信チャネルを有する。同様に、ＵＥ１０４ｂも、同一セル内で移動している車両であり得るが、ＢＳ１０２との直接通信チャネル（例えば、１０３ａ）を有しないか、または、セル１０１のカバレッジ外にある。ＵＥ１０４ｂは、ＢＳ１０２との直接通信チャネルを有していないが、その近傍ＵＥ、例えば、ＵＥ１０４ａおよびＵＥ１０４ｃ（それぞれ、第２の周波数ｆ２および第３の周波数ｆ３で動作する）との直接通信チャネル（例えば、１０５ａおよび１０５ｂ）を形成する。いくつかの実施形態では、第２の周波数ｆ２および第３の周波数ｆ３は、第１の周波数ｆ１と異なる。いくつかの実施形態では、第２の周波数ｆ２および第３の周波数は、第１の周波数ｆ１と同一である。ＵＥ１０４ｃは、同様に第１の周波数ｆ１で動作するＢＳ１０２との直接通信チャネル１０３ｃを有するモバイルデバイスであることができる。いくつかの実施形態では、直接通信チャネル（例えば、１０５ａおよび１０５ｂ）は、ＳＬ通信のために、複数の周波数で動作することができる。
【００１９】
ＵＥ１０４とＢＳ１０２との間の直接通信チャネルは、ＵＭＴＳ（ユニバーサルモバイル電気通信システム（ＵＭＴＳ）エアインターフェースとしても知られるＵｕインターフェース等のインターフェースを通したものであり得る。ＵＥ間の直接通信チャネル１０５は、車両間（Ｖ２Ｖ）通信等の高移動速度および高密度用途に対処するために導入されたＰＣ５インターフェースを通したものであり得る。ＢＳ１０２は、外部インターフェース１０７、例えば、Ｉｕインターフェースを通して、コアネットワーク（ＣＮ）１０８に接続される。
【００２０】
ＵＥ１０４ａおよび１０４ｃは、その同期タイミングをＢＳ１０２から取得し、ＢＳ１０２は、パブリック時間ＮＴＰ（ネットワーク時間プロトコル）サーバまたはＲＮＣ（無線周波数シミュレーションシステムネットワークコントローラ）サーバ等のインターネット時間サービスを通して、コアネットワーク１０８からそれ自身の同期タイミングを取得する。これは、ネットワークベースの同期として知られる。代替として、ＢＳ１０２は、特に、ラージセル内の大規模ＢＳに関して、空との直接通視線を有する衛星信号１０６を通して、全地球的航法衛星システム（ＧＮＳＳ）（図示せず）から同期タイミングを取得することもでき、それは、衛星ベースの同期として知られる。ＵＥ１０４ｂは、サイドリンク通信を通して、他のＵＥ１０４ａおよび１０４ｃからその同期タイミングを取得する。
【００２１】
図１Ｂは、本開示のいくつかの実施形態による、ダウンリンク、アップリンク、およびサイドリンク通信信号を伝送および受信するための例示的無線通信システム１５０のブロック図を図示する。システム１５０は、本明細書に詳細に説明される必要がない、公知または従来の動作特徴をサポートするように構成されるコンポーネントおよび要素を含み得る。一例示的実施形態では、システム１５０は、上で説明されるように、図１Ａの無線通信ネットワーク１００等の無線通信環境内でデータシンボルを伝送および受信するために使用されることができる。
【００２２】
システム１５０は、概して、ＢＳ１０２と、２つのＵＥ１０４ａおよび１０４ｂ（議論を容易にするために、下記では、ＵＥ１０４と集合的に称される）とを含む。ＢＳ１０２は、ＢＳ送受信機モジュール１５２と、ＢＳアンテナアレイ１５４と、ＢＳメモリモジュール１５６と、ＢＳプロセッサモジュール１５８と、ネットワークインターフェース１６０とを含み、各モジュールは、必要に応じて、データ通信バス１８０を介して互いに結合および相互接続される。ＵＥ１０４は、ＵＥ送受信機モジュール１６２と、ＵＥアンテナ１６４と、ＵＥメモリモジュール１６６と、ＵＥプロセッサモジュール１６８と、Ｉ／Ｏインターフェース１６９とを含み、各モジュールは、必要に応じて、データ通信バス１９０を介して互いに結合および相互接続される。ＢＳ１０２は、本明細書に説明されるようなデータの伝送のために好適な当技術分野において公知の任意の無線チャネルまたは他の媒体であり得る通信チャネル１９２を介してＵＥ１０４と通信する。
【００２３】
当業者によって理解されるであろうように、システム１５０は、図１Ｂに示されるモジュール以外の任意の数のモジュールをさらに含み得る。当業者は、本明細書に開示される実施形態に関連して説明される種々の例証的ブロック、モジュール、回路、および処理論理が、ハードウェア、コンピュータ読み取り可能なソフトウェア、ファームウェア、またはそれらの任意の実践的組み合わせにおいて実装され得ることを理解するであろう。ハードウェア、ファームウェア、およびソフトウェアのこの可換性および互換性を明確に例証するために、種々の例証的コンポーネント、ブロック、モジュール、回路、およびステップは、概して、それらの機能性の観点から上で説明されている。そのような機能性が、ハードウェア、ファームウェア、またはソフトウェアとして実装されるかどうかは、特定の用途および全体的システムに課される設計制約に依存する。本明細書に説明される概念に詳しい者は、各特定の用途のために好適な様式においてそのような機能性を実装し得るが、そのような実装決定は、本発明の範囲を限定するものとして解釈されるべきではない。
【００２４】
ＵＥ１０４の伝送側アンテナからＢＳ１０２の受信側アンテナへの無線伝送は、アップリンク伝送として知られ、ＢＳ１０２の伝送側アンテナからＵＥ１０４の受信側アンテナへの無線伝送は、ダウンリンク伝送として知られている。いくつかの実施形態によると、ＵＥ送受信機１６２は、本明細書では、「アップリンク」送受信機１６２と称され得、各々がＵＥアンテナ１６４に結合されるＲＦ送信機および受信機回路を含む。デュプレックススイッチ（図示せず）は、時間デュプレックス方式において、アップリンク送信機または受信機をアップリンクアンテナに交互に結合し得る。同様に、いくつかの実施形態によると、ＢＳ送受信機１５２は、本明細書では、「ダウンリンク」送受信機１５２と称され得、各々がアンテナアレイ１５４に結合されるＲＦ送信機および受信機回路を含む。ダウンリンクデュプレックススイッチは、時間デュプレックス方式において、ダウンリンク送信機または受信機をダウンリンクアンテナアレイ１５４に交互に結合し得る。２つの送受信機１５２および１６２の動作は、アップリンク受信機が、無線通信チャネル１９２を経由した伝送の受信のために、アップリンクＵＥアンテナ１６４に結合され、同時に、ダウンリンク送信機が、ダウンリンクアンテナアレイ１５４に結合されるように、時間的に調整される。好ましくは、最小限のガード時間をデュプレックス方向の変化間に伴って、近似同期タイミングが存在する。ＵＥ送受信機１６２は、ＵＥアンテナ１６４を通して、無線通信チャネル１９２を介してＢＳ１０２と通信するか、または、無線通信チャネル１９３を介して他のＵＥと通信する。無線通信チャネル１９３は、本明細書に説明されるようなデータのサイドリンク伝送のために好適な当技術分野において公知の任意の無線チャネルまたは他の媒体であることができる。
【００２５】
ＵＥ送受信機１６２およびＢＳ送受信機１５２は、無線データ通信チャネル１９２を介して通信し、特定の無線通信プロトコルおよび変調スキームをサポートし得る好適に構成されたＲＦアンテナ配列１５４／１６４と協働するように構成される。いくつかの例示的実施形態では、ＵＥ送受信機１６２およびＢＳ送受信機１５２は、ロングタームエボリューション（ＬＴＥ）および新たに出現した５Ｇ規格等の産業規格をサポートするように構成される。しかしながら、本発明は、必ずしも、適用において、特定の規格および関連付けられたプロトコルに限定されないことを理解されたい。むしろ、ＵＥ送受信機１６２およびＢＳ送受信機１５２は、将来的規格またはその変形例を含む代替または追加の無線データ通信プロトコルをサポートするように構成され得る。
【００２６】
プロセッサモジュール１５８および１６８は、本明細書に説明される機能を実施するように設計される汎用プロセッサ、コンテンツアドレス指定可能なメモリ、デジタル信号プロセッサ、特定用途向け集積回路、フィールドプログラマブルゲートアレイ、任意の好適なプログラマブル論理デバイス、別個のゲートまたはトランジスタ論理、別個のハードウェアコンポーネント、もしくそれらの任意の組み合わせを用いて、実装または実現され得る。このように、プロセッサは、マイクロプロセッサ、コントローラ、マイクロコントローラ、状態機械等として実現され得る。プロセッサは、コンピューティングデバイスの組み合わせ、例えば、デジタル信号プロセッサおよびマイクロプロセッサ、複数のマイクロプロセッサ、デジタル信号プロセッサコアと併せた１つ以上のマイクロプロセッサ、もしくは任意の他のそのような構成の組み合わせとしても実装され得る。
【００２７】
さらに、本明細書に開示される実施形態に関連して説明される方法またはアルゴリズムのステップは、プロセッサモジュール１５８および１６８によって実行される、ハードウェア内、ファームウェア、ソフトウェアモジュール、またはそれらの任意の実践的組み合わせにおいて直接具現化され得る。メモリモジュール１５６および１６６は、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野において公知の任意の他の形態の記憶媒体として実現され得る。この点において、メモリモジュール１５６および１６６は、プロセッサモジュール１５８および１６８が、それぞれ、メモリモジュール１５６および１６６から情報を読み取り、情報をそこに書き込み得るように、それぞれ、プロセッサモジュール１５８および１６８に結合され得る。メモリモジュール１５６および１６６も、それらのそれぞれのプロセッサモジュール１５８および１６８の中に統合され得る。いくつかの実施形態では、メモリモジュール１５６および１６６の各々は、それぞれ、プロセッサモジュール１５８および１６８によって実行されるべき命令の実行中、一時的変数または他の中間情報を記憶するためのキャッシュメモリを含み得る。メモリモジュール１５６および１６６の各々は、それぞれ、プロセッサモジュール１５８および１６８によって実行されるべき命令を記憶するための不揮発性メモリも含み得る。
【００２８】
ネットワークインターフェース１６０は、概して、ＢＳ送受信機１５２と、ＢＳ１０２と通信するように構成される他のネットワークコンポーネントおよび通信ノードとの間の双方向通信を有効にするハードウェア、ソフトウェア、ファームウェア、処理論理、および／または基地局１０２の他のコンポーネントを表す。例えば、ネットワークインターフェース１６０は、インターネットまたはＷｉＭＡＸトラフィックをサポートするように構成され得る。典型的展開では、限定ではないが、ネットワークインターフェース１６０は、ＢＳ送受信機１５２が、従来のＥｔｈｅｒｎｅｔ（登録商標）ベースのコンピュータネットワークと通信し得るように、８０２．３  Ｅｔｈｅｒｎｅｔ（登録商標）インターフェースを提供する。このように、ネットワークインターフェース１６０は、コンピュータネットワーク（例えば、移動交換局（ＭＳＣ））との接続のために、物理的インターフェースを含み得る。規定された動作または機能に関して、本明細書で使用されるように用語「〜するように構成される（ｃｏｎｆｉｇｕｒｅｄ  ｔｏ）」または「〜のために構成される（ｃｏｎｆｉｇｕｒｅｄ  ｆｏｒ）」は、規定された動作または機能を実施するように物理的に構築され、プログラムされ、フォーマットされ、および／または、配列されたデバイス、コンポーネント、回路、構造、機械、信号等を指す。ネットワークインターフェース１６０は、ＢＳ１０２が、有線または無線接続を経由して、他のＢＳまたはコアネットワークと通信することを可能にし得る。
【００２９】
再び図１Ａを参照すると、上で述べられたように、ＢＳ１０２は、ＵＥ１０４が、ＢＳ１０２が位置するセル１０１内のネットワークにアクセスし、一般に、セル１０１内で適切に動作することを可能にするように、ＢＳ１０２に関連付けられたシステム情報を１つ以上のＵＥ（例えば、１０４）に繰り返しブロードキャストする。例えば、ダウンリンクおよびアップリンクセル帯域幅、ダウンリンクおよびアップリンク構成、ランダムアクセスのための構成等の複数の情報がシステム情報内に含まれることができ、それは、下でさらに詳細に議論されるであろう。典型的に、ＢＳ１０２は、いくつかの主要なシステム情報、例えば、セル１０１の構成を搬送する第１の信号をＰＢＣＨ（物理ブロードキャストチャネル）を通してブロードキャストする。例証の明確性の目的のために、そのようなブロードキャストされる第１の信号は、本明細書では、「第１のブロードキャスト信号」と称される。ＢＳ１０２は、続いて、本明細書では、「第２のブロードキャスト信号」、「第３のブロードキャスト信号」等と称されるある他のシステム情報を搬送する１つ以上の信号をそれぞれのチャネル（例えば、物理ダウンリンク共有チャネル（ＰＤＳＣＨ））を通してブロードキャストし得ることに留意されたい。
【００３０】
再び図１Ｂを参照すると、いくつかの実施形態では、第１のブロードキャスト信号によって搬送される主要なシステム情報は、ＢＳ１０２によって、シンボルフォーマットにおいて、通信チャネル１９２（例えば、ＰＢＣＨ）を介して伝送され得る。いくつかの実施形態によると、もとの形態の主要なシステム情報は、１つ以上の一続きのデジタルビットとして提示され得、１つ以上の一続きのデジタルビットは、複数のステップ（例えば、コーディング、スクランブリング、変調、マッピングステップ等）を通して処理され得、それらの全ては、ＢＳプロセッサモジュール１５８によって処理され、第１のブロードキャスト信号となることができる。同様に、ＵＥ１０４が、ＵＥ送受信機１６２を使用して、第１のブロードキャスト信号（シンボルフォーマットにおいて）を受信すると、いくつかの実施形態によると、ＵＥプロセッサモジュール１６８は、複数のステップ（マッピング解除、復調、デコードステップ等）を実施し、例えば、主要なシステム情報のビットのビット場所、ビット数等の主要なシステム情報を推定し得る。ＵＥプロセッサモジュール１６８は、Ｉ／Ｏインターフェース１６９にも結合され、Ｉ／Ｏインターフェース１６９は、ＵＥ１０４に、コンピュータ等の他のデバイスに接続する能力を提供する。Ｉ／Ｏインターフェース１６９は、これらの付属品とＵＥプロセッサモジュール１６８との間の通信経路である。
【００３１】
いくつかの実施形態では、ＵＥ１０４は、ハイブリッド通信ネットワークで動作することができ、ＵＥは、ＢＳ１０２と通信し、かつ他のＵＥと通信する（例えば、１０４ａと１０４ｂとの間）。下でさらに詳細に説明されるように、ＵＥ１０４は、他のＵＥとのサイドリンク通信ならびにＢＳ１０２とＵＥ１０４との間のダウンリンク／アップリンク通信をサポートする。上で議論されるように、サイドリンク通信は、ＵＥ１０４ａおよび１０４ｂが、ＢＳ１０２がデータをＵＥ間で中継することを要求せずに、互いにまたは異なるセルからの他のＵＥと直接通信リンクを確立することを可能にする。
【００３２】
図２は、本開示のいくつかの実施形態による、ＳＬ通信のためのＰＣ５キャリア集約（ＣＡ）における少なくとも１つの好適なコンポーネントキャリア（ＣＣ）を取得する方法２００を図示する。追加の動作が、図２の方法２００の前、間、および後に提供され得、ある他の動作は、省略されるか、または、簡単にのみ本明細書に説明され得ることを理解されたい。
【００３３】
方法２００は、動作２０１から開始し、ＢＳ１０２が、メッセージをＵＥ１  １０４ａおよびＵＥ２  １０４ｂに伝送する。メッセージは、ＳＬ通信のためのＰＣ５−ＣＡにおける少なくとも１つの好適なキャリア周波数または少なくとも２つの好適なＣＣの決定のために使用される情報を含む。いくつかの実施形態では、このメッセージは、ＢＳ１０２から、ＵＥ１  １０４ａおよびＵＥ２  １０４ｂに制御シグナリングの形態（例えば、物理層の上位層からのＲＲＣ（無線リソース制御）メッセージ、またはシステムメッセージ）において伝送される。このメッセージは、ＰＢＣＨ（物理ブロードキャストチャネル）またはＰＤＳＣＨ（物理ダウンリンク共有チャネル）等のチャネル上でブロードキャストおよび／またはユニキャストされることができる。
【００３４】
いくつかの実施形態では、ＢＳ１０２からＵＥ１  １０４ａおよびＵＥ２  １０４ｂへのメッセージ内で伝送される情報は、以下の情報のうちの少なくとも１つを含む：少なくとも１つのチャネルビジー率（ＣＢＲ）閾値、少なくとも１つのＰＣ５リンク品質閾値、サービスタイプ／サービスの質（ＱｏＳ）要件と要求されるＣＣの数との間のマッピング関係、および、サービスタイプ／ＱｏＳ要件と周波数識別との間のマッピング関係。
【００３５】
いくつかの実施形態では、ＢＳ１０２からＵＥ１  １０４ａおよびＵＥ２  １０４ｂへのメッセージ内で伝送される情報は、少なくとも１つのＣＢＲ閾値を含む。ＣＢＲ値は、０〜１の値であり、受信された信号の電力（受信された信号強度インジケータまたはＳＲＳＳＩ）が電力閾値（例えば、−８５ｄＢｍ）より大きいサブチャネルの割合として、ビジー率を表す。いくつかの実施形態では、情報は、複数のＣＢＲ閾値を含み、複数のＣＢＲ閾値の各々は、サービスタイプおよび／またはＱｏＳ要件に関連付けられる。ＱｏＳ要件は、以下のパラメータそのうちの少なくとも１つを示す：データ優先順位、パケット遅延予算、パケット誤差レート、データレート、および伝送されるべきデータパケットの信頼性等。いくつかの実施形態では、ＱｏＳ要件は、インデックス値であり、ＣＢＲ閾値とマッピング関係を有することができる。例えば、高優先順位および高データレートを伴うサービスデータ伝送に対応するＣＢＲ閾値は、低優先順位および低データレートを伴うサービスデータ伝送に対応するＣＢＲ閾値より大きくあり得、それによって、より好適なＣＣが、ＳＬ伝送のために高データレートにおいて利用可能であり得る。
【００３６】
いくつかの実施形態では、ＢＳ１０２からＵＥ１  １０４ａおよびＵＥ２  １０４ｂへのメッセージ内で伝送される情報は、少なくとも１つのＰＣ５リンク品質閾値を含み、ＰＣ５品質閾値は、例えば、基準信号受信電力（ＲＳＲＰ）、基準信号受信品質（ＲＳＲＱ）、信号対干渉＋雑音比（ＳＩＮＲ）等のパラメータによって説明される。いくつかの実施形態では、情報は、複数のＰＣ５品質閾値を含み、複数のＰＣ５品質閾値の各々は、サービスタイプおよび／またはＱｏＳ要件に関連付けられる。ＱｏＳ要件は、以下のパラメータのうちの少なくとも１つを示す：データ優先順位、パケット遅延予算、パケット誤差レート、データレート、伝送されるべきデータパケットの信頼性等。いくつかの実施形態では、ＱｏＳ要件は、インデックス値であり、ＰＣ５品質閾値とマッピング関係を有することができる。例えば、高優先順位および／または高データレートを伴うサービスデータ伝送に対応するＰＣ５品質閾値は、低優先順位および／または低データレートを伴うサービスデータ伝送に対応するＰＣ５品質閾値より低くあり得、それによって、より好適なＣＣが、ＳＬ伝送のために高データレートにおいて利用可能であり得る。
【００３７】
いくつかの実施形態では、ＢＳ１０２からＵＥ１  １０４ａおよびＵＥ２  １０４ｂへのメッセージ内で伝送される情報は、サービスタイプ／ＱｏＳ要件と要求されるＣＣの数との間のマッピング関係を含む。ＱｏＳ要件は、以下のパラメータのうちの少なくとも１つを示す：データ優先順位、パケット遅延予算、パケット誤差レート、データレート、および伝送されるべきデータパケットの信頼性等。いくつかの実施形態では、ＱｏＳ要件は、インデックス値であることができる。
【００３８】
いくつかの実施形態では、ＢＳ１０２からＵＥ１  １０４ａおよびＵＥ２  １０４ｂへのメッセージ内で伝送される情報は、サービスタイプ／ＱｏＳ要件と周波数識別との間のマッピング関係を含む。ＱｏＳ要件は、以下のパラメータのうちの少なくとも１つを示す：データ優先順位、パケット遅延予算、パケット誤差レート、データレート、伝送されるべきデータパケットの信頼性等。いくつかの実施形態では、ＱｏＳ要件は、インデックス値であることができる。いくつかの実施形態では、周波数識別は、以下のパラメータのうちの少なくとも１つを含む：周波数値、周波数インデックス、およびＣＣインデックス等。
【００３９】
いくつかの実施形態では、ＢＳ１０２からＵＥ１  １０４ａおよびＵＥ２  １０４ｂへのメッセージ内で伝送される情報は、ＳＬ伝送のための時間ドメイン内のリソース情報を含み、時間ドメイン内のリソース情報は、サブフレームパターン情報および対応する周波数（インデックス）のリストであることができる。
【００４０】
いくつかの実施形態では、ＢＳ１０２からＵＥ１  １０４ａおよびＵＥ２  １０４ｂへのメッセージ内で伝送される情報は、ＢＳ１０２によってサポートされる利用可能なキャリア周波数および／またはＳＬ伝送のために使用され得る周波数のリストを含む。
【００４１】
代替として、方法２００は、動作２０２から開始し得、ＵＥ２  １０４ａが、ＰＳＳＣＨ（物理的サイドリンク共有チャネル）等のチャネル上で伝送され得るＰＣ５シグナリングを通して、他のＵＥ（例えば、ＵＥ２  １０４ｂ）からＣＣ選択のために使用される情報を取得し得る。いくつかの実施形態では、ＵＥ２  １０４ｂからＵＥ１  １０４ａに伝送される情報は、以下のパラメータ値のうちの少なくとも１つを含む：ＰＣ５−ＣＡのためのＵＥ２  １０４ｂの能力、ＣＣの数、伝送／受信のために使用され得るキャリア周波数、および、受信側チェーンの数等。いくつかの実施形態では、ＰＣ５−ＣＡのためのＵＥ１０４ｂの能力は、以下のうちの少なくとも１つを含む：同時ＳＬ受信のための帯域組み合わせ、同時Ｕｕ／サイドリンク受信のための帯域組み合わせ。
【００４２】
いくつかの実施形態では、ＵＥ１  １０４ａは、情報をＢＳ１０２およびＵＥ２  １０４ｂの両方から同時に受信することもできる。この場合、ＢＳ１０２から受信された情報は、２つの種類の情報が互いに競合する場合、ＳＬ伝送のためのＰＣ５−ＣＡにおける好適なＣＣの選択に関して使用されるように、ＵＥ２  １０４ｂから受信された情報より高い優先順位を有する。
【００４３】
方法２００は、動作２０３に継続し、ＵＥ１  １０４ａが、動作２０１においてＢＳ１０２から受信された情報、および／または、動作２０２においてＵＥ１０４ｂから受信された情報に基づいて、ＰＣ５−ＣＡのための少なくとも１つの好適なＣＣを選択する。いくつかの実施形態では、ＵＥ１０４ａ内の上位層は、データパケットのサービスタイプまたはＱｏＳ要件およびサービスタイプ／ＱｏＳと周波数との間のマッピング関係に従って、候補キャリアのセットを決定する。いくつかの実施形態では、ＵＥ１０４ａ内の上位層は、要求されるＣＣの数を決定することもできる。次いで、上位層は、候補周波数のセットをＵＥ１０４ａの下位層（アクセス層またはＡＳ層）に配信する。いくつかの実施形態では、上位層はまた、要求されるＣＣの数をＡＳ層に配信する。ＵＥ１  １０４ａのＡＳ層は、以下のパラメータのうちの少なくとも１つに従って伝送周波数を決定する：測定されたＣＢＲ値、測定されたＰＣ５リンク品質値、候補周波数、およびＰＣ５−ＣＡのためのＵＥ１  １０４ａの能力等。
【００４４】
いくつかの実施形態では、ＵＥ１  １０４ａは、サブチャネル上で受信された電力を測定し、リソースプール全体内の使用中サブチャネルの割合を計算することによって、周波数（またはリソースプール）のＣＢＲ値を決定する。いくつかの実施形態では、ＵＥ１  １０４ａは、ＰＳＳＣＨ（物理的サイドリンク共有チャネル）等のチャネル上でＵＥ２  １０４ｂから伝送される基準信号（ＲＳ）を測定することによって、ＰＣ５リンク品質を決定する。
【００４５】
いくつかの実施形態では、測定されたＣＢＲ値は、少なくとも１つの構成されるＣＢＲ閾値と比較される。好ましい実施形態では、１つのみのＣＢＲ閾値が、動作２０１中、ＢＳ１０２からＵＥ１０４に伝送される。周波数の測定されたＣＢＲ値が、構成されるＣＢＲ閾値より小さい場合、周波数は、ＳＬ伝送のためのＰＣ５−ＣＡにおける好適なＣＣであることができる。周波数の測定されたＣＢＲ値が、構成されるＣＢＲ閾値より大きい場合、周波数は、ＳＬ伝送のためのＰＣ５−ＣＡにおけるＣＣとして使用するために好適ではないと見なされる。いくつかの実施形態では、２つの構成されるＣＢＲ閾値（例えば、ＣＢＲ１＜ＣＢＲ２）が、動作２０１中、ＢＳ１０２からＵＥ１０４に伝送される。周波数の測定されたＣＢＲ値が、ＣＢＲ１より小さい場合、周波数は、ＳＬ伝送のためのＰＣ５−ＣＡにおける好適なＣＣとして選択される。周波数の測定されたＣＢＲ値が、ＣＢＲ１より大きい場合、周波数は、ＳＬ伝送のために好適ではないと見なされる。ある実施形態では、２つの構成されるＣＢＲ閾値（例えば、ＣＢＲ２）のうちの１つは、下で詳細に議論されるように、ＣＣがＳＬ伝送を継続するために好適ではなくなったかどうかを決定するために使用されることができる一方、ＣＢＲ１は、周波数がＳＬ伝送のために好適であるかどうかを決定するために使用される。
【００４６】
いくつかの実施形態では、測定されたＰＣ５リンク品質値は、少なくとも１つの構成されるＰＣ５リンク品質閾値と比較される。好ましい実施形態では、１つのみの構成されるＰＣ５リンク品質閾値が、動作２０１中、ＢＳ１０２からＵＥ１０４に伝送される。周波数の測定されたＰＣ５リンク品質値が、構成されるＰＣ５リンク品質閾値より大きい場合、周波数は、ＳＬ伝送のためのＰＣ５−ＣＡにおける好適なＣＣである。周波数の測定されたＰＣ５リンク品質値が、事前に構成されるＰＣ５リンク品質閾値より小さい場合、周波数は、ＳＬ伝送のために好適ではないと見なされる。いくつかの実施形態では、２つの構成されるＰＣ５リンク品質閾値（例えば、ＳＰＣ５２＜ＳＰＣ５１）が、動作２０１中、ＢＳ１０２からＵＥ１０４に伝送される。周波数の測定されたＰＣ５リンク品質値が、ＳＰＣ５１より大きい場合、周波数は、ＳＬ伝送のためのＰＣ５−ＣＡにおける好適なＣＣと見なされる。周波数の測定されたＰＣ５リンク品質値が、ＳＰＣ５２より小さい場合、周波数は、ＳＬ伝送のために好適ではないと見なされる。いくつかの実施形態では、２つの構成されるＰＣ５リンク品質閾値が、下で詳細に議論されるように、頻繁なＣＣ再選択を回避するために使用されることができる。
【００４７】
代替実施形態では、動作２０３中、ＵＥ１  １０４ａ内の上位層が、データパケット、サービスタイプ、ＱｏＳ要件、およびサービスタイプと周波数との間のマッピング関係をＵＥ１  １０４ａ内の下位層（ＡＳ層）に配信することができる。次いで、ＵＥ１  １０４ａのＡＳ層は、以下のパラメータのうちの少なくとも１つに従ってＳＬ通信のためのＰＣ５−ＣＡにおいて使用され得る周波数を決定する：関連付けられたサービスタイプ、関連付けられたＱｏＳ要件、サービスタイプと周波数との間のマッピング、ＵＥ１  １０４ａの能力、ＰＣ５−ＣＡのためのＵＥ２  １０４の能力、および測定されたＣＢＲ値、ならびに測定されたＰＣ５リンク品質値等。
【００４８】
別の代替実施形態では、動作２０３中、ＣＣが、非ＡＳ層（例えば、上位層）によって選択されることができる。例えば、ＵＥ１０４ａ内の上位層が、データパケットのサービスタイプまたはＱｏＳ要件、および、サービスタイプ／ＱｏＳと周波数との間のマッピング関係に従って、候補キャリアのセットを決定する。いくつかの実施形態では、ＵＥ１０４ａ内の上位層は、要求されるＣＣの数を決定することもできる。次いで、上位層は、候補周波数のセットをＵＥ１０４ａのＡＳ層に配信する。いくつかの実施形態では、上位層は、要求されるＣＣの数もＡＳ層に配信する。次いで、ＡＳ層は、以下のパラメータのうちの１つをＵＥ１０４ａの上位層に逆配信することができる：測定されたＣＢＲ値、測定されたＰＣ５リンク品質値、サービスタイプ、関連付けられたＱｏＳ要件、サービスタイプと周波数との間のマッピング関係、およびＵＥ１  １０４ａの能力、ＰＣ５−ＣＡのためのＵＥ２  １０４ｂの能力、ＣＢＲ値が構成された閾値を下回る周波数、ＰＣ５リンク品質値が構成された閾値より大きい周波数等。最後に、上位層は、ＳＬ伝送のために使用され得る少なくとも１つの好適なＣＣを決定し、一方、それをＵＥ１  １０４ａの下位層に示す。
【００４９】
動作２０３においてＣＣを選択後、ＵＥ１  １０４ａは、ＳＬ伝送のために、時間周波数ドメインにおけるリソースを選択する。いくつかの実施形態では、ＢＳ１０２から受信されたサブフレームパターンは、「０」または「１」の文字を含み、「０」は、この周波数上のこのサブフレームがＳＬ伝送のために使用されることができないことを示し、「１」は、この周波数上のこのサブフレームがＳＬ伝送のために使用されることができることを示す。ＵＥは、全ての候補リソースの感知に基づいて、ＳＬ伝送のためのサブフレーム内のリソースブロックをさらに選択することができる。
【００５０】
方法２００は、データをＵＥ１  １０４ａとＵＥ２  １０４ｂとの間で伝送または受信するためのリソースが、選択されると、ＳＬ伝送のために、動作２０４に継続する。リソースが、選択された後、最大８つのＣＣが、第１の集約されたＣＣを形成し、ＳＬ伝送が、より高いピークデータレートを実現し、断片化されたスペクトルの効率的使用を促進するために配分されることができる。いくつかの実施形態では、ＵＥが、車両であるとき、集約されたＣＣを通したＳＬ伝送におけるデータは、制動／加速情報およびルートオプションを含み得、それは、ランダムイベント、例えば、事故によってトリガされることができる。いくつかの実施形態では、Ｖ−ＵＥであるＵＥ１０４は、環境および交通情報を路肩ユニット（ＲＳＵ）から取得することができ、周期的に、他のＵＥにブロードキャストすることができる。一方、ＵＥ１０４は、現状報告を他のＵＥから収集し、ＲＳＵに返信し得、それも、ＳＬ伝送の例であり得る。
【００５１】
ＳＬ伝送が、第１の集約されたＣＣにおいて確立された後、第１の集約されたＣＣにおける少なくとも１つのＣＣの好適性が、ＳＬ伝送中、持続的に監視され、所定の周期で周期的に評価される。このプロセスは、ＳＬ伝送のための高データレートおよび短待ち時間を伴う信頼性があるＣＣを強化および維持するために実装されることができる。いくつかの実施形態では、第１の集約されたＣＣの好適性は、以下のパラメータのうちの少なくとも１つによって測定される：測定されたＣＢＲ値および測定されたＰＣ５リンク品質値等。第１の集約されたＣＣ（例えば、周波数）が、ＳＬ伝送のために好適ではなくなる場合、ＣＣ再選択プロシージャが、ＵＥ１０４によってトリガされ、好適なＣＣを再選択し、第２の集約されたＣＣを形成し、既存のＳＬ伝送を継続することができる。いくつかの実施形態では、伝送側ＵＥ２  １０４ｂは、ＣＣの再選択をトリガすることができる。例えば、第１の集約されたＣＣの少なくとも１つのＣＢＲ値が、構成された閾値より大きいようになる場合、第２の集約されたＣＣが、選択される必要がある。いくつかの実施形態では、構成された閾値より低いＣＢＲ値を伴う周波数は、ＳＬ伝送のためのＰＣ５−ＣＡにおける好適なＣＣであることができる。いくつかの実施形態では、構成されるＣＢＲオフセット値だけ、第１の集約されたＣＣにおける周波数のＣＢＲ値より低いＣＢＲ値を伴う周波数が、ＳＬ伝送のためのＰＣ５−ＣＡにおける第２の集約されたＣＣにおける好適なＣＣとして使用されることができる。いくつかの実施形態では、ＣＣ再選択のための構成されるＣＢＲオフセット値は、ＢＳ１０２によって、動作２０１において、ブロードキャストまたはユニキャスト（すなわち、専用シグナリング）を介して構成されることができる。ある実施形態では、ＵＥ２  １０４ｂは、受信された電力に基づいて、第１の集約されたＣＣにおける各ＣＣのＣＢＲ値を測定し、リソースプール全体内の使用中サブチャネルの割合を計算する。
【００５２】
同様に、ＰＣ５リンク品質も、第１の集約されたＣＣの好適性を測定するために使用されることができる。具体的には、第１の集約されたＣＣにおける全てのＣＣのＰＣ５リンク品質値は、常に監視され、評価される。第１の集約されたＣＣにおける周波数の測定されたＰＣ５リンク品質値が、動作２０１において、ＢＳ１０２によってＵＥ１０４に伝送される構成されたＰＣ５リンク品質閾値より低い値まで減少する場合、第２の集約されたＣＣが、ＳＬ伝送を継続するために再選択される必要がある。ＰＣ５リンク品質は、ＵＥ２  １０４ｂから伝送される基準信号（ＲＳ）の測定を通して評価される。いくつかの実施形態では、周波数のＰＣ５リンク品質値が、構成された閾値より大きい場合、周波数は、ＳＬ伝送のためのＰＣ５−ＣＡにおいて好適なＣＣとなる。いくつかの実施形態では、構成されるＰＣ５リンク品質オフセット値だけ第１の集約されたＣＣにおける周波数のＰＣ５リンク品質値より大きい周波数のＰＣ５リンク品質値も、好適なＣＣとして使用されることができる。第１の集約されたＣＣにおける好適なＣＣとともに、新しく選択された好適なＣＣは、ＳＬ伝送のために、第２の集約されたＣＣを形成するために使用されることができる。いくつかの実施形態では、ＣＣ再選択のための構成されたＰＣ５リンク品質オフセット値は、ＢＳ１０２によって、動作２０１において、ブロードキャストまたはユニキャスト（すなわち、専用シグナリング）を介して構成されることができる。いくつかの実施形態では、ＰＣ５リンク品質値に基づくＣＣの再選択は、ユニキャストシナリオにおいてのみ適用可能である。
【００５３】
ＳＬ伝送を続けるために好適ではないと決定される時点まで、ＣＣ上で伝送されていないデータパケットは、種々の実施形態によると、連続伝送のために、第２の集約されたＣＣにおける新しく選択された好適なＣＣに向けられる。同時に、第１の集約されたＣＣにおける全ての他の好適な周波数上のデータパケットは、連続的に伝送され、ＳＬ伝送の中断は、ＣＣ再選択プロセス中、導入されない。
【００５４】
図３は、本開示の種々の実施形態による、ＳＬ伝送のためのＰＣ５−ＣＡにおける少なくとも１つの好適なコンポーネントキャリアを取得する方法３００を図示する。追加の動作が、図３の方法３００の前、間、および後に提供され得、ある他の動作は、省略されるか、または、簡単にのみ本明細書に説明され得ることを理解されたい。
【００５５】
方法３００は、動作３０１から開始し、伝送側ＵＥ１  １０４ａが、メッセージをＢＳ１０２に伝送する。いくつかの実施形態では、受信側ＵＥ２  １０４ｂも、ユニキャスト通信を実施する場合、動作３０１中、メッセージをＢＳ１０２に伝送することができる。メッセージは、種々の実施形態によると、例えば、新しいＳＬ伝送が、伝送側ＵＥと受信側ＵＥとの間に確立されるべきとき、ＣＣ選択のための補助情報を含む。いくつかの実施形態では、ＣＣ選択のための補助情報をＵＥからＢＳに伝送することは、ＵＥが１つ以上のタイプのサービスを伝送または受信することに関心があるときにも、トリガされることができる。ＵＥ１０４からのメッセージは、アップリンク制御シグナリングメッセージ（例えば、ＲＲＣ（無線リソース制御）メッセージまたはＭＡＣ層内の制御要素（ＣＥ））形態で、ＢＳ１０２に伝送されることができる。ＵＥ１０４からＢＳ１０２に伝送されるＣＣ選択のための補助情報は、以下のパラメータのうちの少なくとも１つを含む：論理チャネルグループ（ＬＣＧ）ＩＤ、サービスタイプ、ＱｏＳ要件、無線ベアラ識別／論理チャネルＩＤ、およびＰＣ５−ＣＡのためのＵＥの能力、１つ以上の周波数情報等。ある実施形態では、ＵＥ１０４からＢＳ１０２へのＬＣＧ  ＩＤは、伝送側ＵＥ１  １０４ａから受信側ＵＥ２  １０４ｂに伝送される必要があるデータパケットのサービスタイプおよび／またはＱｏＳ要件を暗に示し得る。ＵＥが、ＬＣＧ  ＩＤをＢＳ１０２に伝送する前、ＵＥは、ある実施形態によると、ＬＣＧ  ＩＤとサービスタイプおよび／またはＱｏＳ要件との間のマッピング関係をＢＳ１０２から入手することができる。いくつかの実施形態では、ＬＣＧ  ＩＤとサービスタイプおよび／またはＱｏＳ要件との間のマッピング関係は、事前に構成されることができる。いくつかの実施形態では、このマッピング関係は、アプリケーションサービスから取得されることができる。ＱｏＳ要件は、以下のパラメータのうちの少なくとも１つを含む：データ優先順位、データパケット遅延予算、データレート、パケット誤差レート、およびＱｏＳインデックス等。いくつかの実施形態では、ＱｏＳインデックスは、ＢＳ１０２によって、割り当てられることができる。ある実施形態では、無線ベアラ識別または論理チャネルＩＤが、サービスタイプおよび／またはＱｏＳ要件を暗に示すために使用されることができる。ＵＥが無線ベアラ識別または論理チャネルＩＤをＢＳ１０２に伝送する前、ＵＥは、ある実施形態によると、無線ベアラ識別とサービスタイプおよび／またはＱｏＳ要件との間のマッピング関係、または論理チャネルＩＤとサービスタイプおよび／またはＱｏＳ要件との間のマッピング関係をＢＳ１０２から入手することができる。いくつかの実施形態では、上で述べられたマッピング関係は、事前に構成されることができる。いくつかの実施形態では、このマッピング関係は、アプリケーションサービスから取得されることができる。方法２００と同様、ＰＣ５−ＣＡのためのＵＥの能力は、ある実施形態によると、同時ＳＬ伝送のための少なくとも帯域組み合わせ、同時Ｕｕ／サイドリンク伝送のための帯域組み合わせ、同時ＳＬ受信のための帯域組み合わせ、同��Ｕｕ／サイドリンク受信のための帯域組み合わせを含む。いくつかの実施形態では、周波数情報は、ＵＥがサイドリンクリソースを要求している周波数を示す。
【００５６】
方法３００は、動作３０２に継続し、ＢＳ１０２が、ＳＬ伝送のために使用され得る好適な周波数を決定する。ある実施形態では、ＢＳ１０２は、ＵＥ１０４からの要求メッセージ内で受信された情報に基づいて、ＳＬ伝送のためのリソース情報を決定する。
【００５７】
方法３００は、動作３０３に継続し、ＢＳ１０２が、制御シグナリング、例えば、ＲＲＣメッセージまたはＰＤＣＣＨ制御情報もしくはシステムメッセージの形態で、時間周波数リソースを伝送側ＵＥおよび受信側ＵＥに配分する。いくつかの実施形態では、ＢＳ１０２は、ＯＡＭ構成を介して、サービスタイプと周波数との間のマッピング関係を取得する。ＳＬ伝送のためのリソース情報は、以下のパラメータのうちの少なくとも１つを含む：ＳＬ伝送のための時間周波数ドメイン内のリソース情報、ＰＣ５−ＣＡにおいて使用され得る好適な周波数、リソースおよび対応する周波数の時間ドメイン情報（すなわち、サブフレームパターン）、および、要求されるＣＣの数等。ある実施形態では、時間ドメイン内のリソース情報は、サービスタイプおよび／または周波数に関連付けられている。
【００５８】
方法３００は、データを伝送側ＵＥ１  １０４ａと受信側ＵＥ２  １０４ｂとの間で伝送または受信するためのリソースが、ＢＳ１０２から受信されると、ＳＬ伝送のために、動作３０４に継続する。いくつかの実施形態では、ＵＥが、車両であるとき、ＳＬ伝送におけるデータは、制動／加速情報およびルートオプションを含み得、それは、ランダムイベント、例えば、事故によってトリガされることができる。いくつかの実施形態では、Ｖ−ＵＥであるＵＥ１０４は、環境および交通情報を路肩ユニット（ＲＳＵ）から取得することができ、周期的に、他のＵＥにブロードキャストすることができる。一方、ＵＥ１０４は、現状報告を他のＵＥから収集し、ＲＳＵに返信し得、それも、ＳＬ伝送の例であり得る。
【００５９】
本発明の種々の実施形態が、上で説明されたが、それらは、限定としてではなく、例としてのみ提示されたことを理解されたい。同様に、種々の略図は、例示的アーキテクチャまたは構成を描写し得、それらは、当業者が、本発明の例示的特徴および機能を理解することを可能にするために提供される。しかしながら、そのような当業者は、本発明が、図示される例示的アーキテクチャまたは構成に制限されず、種々の代替アーキテクチャおよび構成を使用して実装されることができることを理解するであろう。加えて、当業者によって理解されるであろうように、一実施形態の１つ以上の特徴は、本明細書に説明される別の実施形態の１つ以上の特徴と組み合わせられることができる。したがって、本開示の範疇および範囲は、上で説明される例示的実施形態のいずれかによって限定されるべきではない。
【００６０】
「第１」、「第２」等の指定を使用した本明細書における要素の任意の参照が、概して、それらの要素の数量または順序を限定するものではないことも理解されたい。むしろ、これらの指定は、本明細書では、２つ以上の要素もしくは要素のインスタンス間で区別する便宜的手段として使用されることができる。したがって、第１および第２の要素の参照は、２つのみの要素が採用され得ること、または第１の要素がある様式において第２の要素に先行しなければならないことを意味するものではない。
【００６１】
加えて、当業者は、情報および信号が種々の異なる技術ならびに技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、もしくは任意のそれらの組み合わせによって表されることができる。
【００６２】
当業者は、本明細書に開示される側面に関連して説明される種々の例証的論理ブロック、モジュール、プロセッサ、手段、回路、方法、および機能の任意のものが、電子ハードウェア（例えば、ソースコーディングまたはある他の技法を使用して設計されるデジタル実装、アナログ実装、またはその２つの組み合わせ）、命令を組み込む種々の形態のプログラムまたは設計コード（本明細書では、便宜上、「ソフトウェア」または「ソフトウェアモジュールと称され得る）、もしくは両方の組み合わせによって実装されることができることをさらに理解するであろう。ハードウェアおよびソフトウェアのこの可換性を明確に例証するために、種々の例証的コンポーネント、ブロック、モジュール、回路、およびステップは、概して、その機能性の観点から上で説明されている。そのような機能性が、ハードウェア、ファームウェア、またはソフトウェア、もしくはこれらの技法の組み合わせとして実装されるかどうかは、特定の用途および全体的システム上に課される設計制約に依存する。当業者は、説明される機能性を特定の各用途のために種々の方法で実装することができるが、そのような実装決定は、本開示の範囲からの逸脱を生じさせるものではない。
【００６３】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、もしくは任意のそれらの組み合わせを含み得る集積回路（ＩＣ）内に実装されること、またはそれによって実施されることができることを理解するであろう。論理ブロック、モジュール、および回路は、アンテナおよび／または送受信機をさらに含み、ネットワークもしくはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサは、コンピューティングデバイス、例えば、ＤＳＰおよびマイクロプロセッサ、複数のマイクロプロセッサ、ＤＳＰコアと併せた１つ以上のマイクロプロセッサの組み合わせ、もしくは本明細書に説明される機能を実施するための任意の他の好適な構成の組み合わせとして実装されることもできる。
【００６４】
ソフトウェアにおいて実装される場合、機能は、１つ以上の命令もしくはコードとして、コンピュータ読み取り可能な媒体上に記憶されることができる。したがって、本明細書に開示される方法またはアルゴリズムのステップは、コンピュータ読み取り可能な媒体上に記憶されるソフトウェアとして実装されることができる。コンピュータ読み取り可能な媒体は、コンピュータ記憶媒体および通信媒体の両方を含み、コンピュータプログラムまたはコードを１つの場所から別の場所に転送するように可能にされ得る任意の媒体を含む。記憶媒体は、コンピュータによってアクセスされ得る任意の利用可能な媒体であることができる。限定ではなく、一例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、もしくは所望のプログラムコードを命令またはデータ構造の形態で記憶するために使用され得、かつコンピュータによってアクセスされ得る任意の他の媒体を含むことができる。
【００６５】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、別個のモジュールとして説明される。しかしながら、当業者に明白であろうように、２つ以上のモジュールが、組み合わせられ、本発明の実施形態に従って関連付けられた機能を実施する単一モジュールを形成し得る。
【００６６】
加えて、メモリまたは他の記憶装置ならびに通信コンポーネントが、本発明の実施形態において採用され得る。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用され得ることが明白であろう。例えば、別個の処理論理要素またはコントローラによって実施されるように例証される機能性は、同一処理論理要素またはコントローラによって実施され得る。故に、具体的機能ユニットの参照は、厳密な論理または物理構造もしくは編成を示すのではなく、説明される機能性を提供するための好適な手段の参照にすぎない。
【００６７】
本開示に説明される実装の種々の修正が、当業者に容易に明白であり、本明細書に定義された一般的原理は、本開示の範囲から逸脱することなく、他の実装に適用されることができる。したがって、本開示は、本明細書に示される実装に限定されることを意図するものではなく、下記の請求項において列挙されるように、本明細書に開示される新規特徴および原理と一致する最広範囲と見なされるべきである。
【図１Ａ】
2021503727.tif 000003
【図１Ｂ】
2021503727.tif 000004
【図２】
2021503727.tif 000005
【図３】
2021503727.tif 000006
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
第１の無線通信ノードによって実施される方法であって、前記方法は、
第１のチャネルビジー率（ＣＢＲ）閾値と第２のＣＢＲ閾値とを含むダウンリンク信号を第２の無線通信ノードから受信することと、
前記第１および第２のＣＢＲ閾値に基づいて、前記第１の無線通信ノードと少なくとも１つの第３の無線通信ノードとの間のサイドリンク通信で使用するための第１のリソースを決定することと
を含み、
前記第１のＣＢＲ閾値は、前記第１のリソースが前記サイドリンク通信で使用するために好適であるかどうかを決定するように使用され、前記第２のＣＢＲ閾値は、前記第１のリソースが前記サイドリンク通信で使用するために好適ではなくなるときを決定するように使用される、方法。
【請求項２】
周波数の測定されたＣＢＲ値が前記第１のＣＢＲ閾値より小さい場合、前記周波数は、前記サイドリンク通信で使用するために好適な第１のリソースとして選択される、請求項１に記載の方法。
【請求項３】
前記第１および第２のＣＢＲ閾値は、それぞれ、個別のサービスの質（ＱｏＳ）要件に関連付けられる、請求項１に記載の方法。
【請求項４】
各別個のＱｏＳ要件は、データ優先順位、パケット遅延予算、パケット誤差レート、データレート、および伝送されるべきデータパケットの信頼性のうちの少なくとも１つを示す、請求項３に記載の方法。
【請求項５】
第１の無線通信ノードであって、
第１のチャネルビジー率（ＣＢＲ）閾値と第２のＣＢＲ閾値とを含むダウンリンク信号を第２の無線通信ノードから受信するように構成されている、受信機と、
前記第１および第２のＣＢＲ閾値に基づいて、前記第１の無線通信ノードと少なくとも１つの第３の無線通信ノードとの間のサイドリンク通信で使用するための第１のリソースを決定するように構成されている、少なくとも１つのプロセッサと
を備え、
前記少なくとも１つのプロセッサは、前記第１のリソースが前記サイドリンク通信で使用するために好適であるかどうかを決定するように前記第１のＣＢＲ閾値を使用することと、前記第１のリソースが前記サイドリンク通信で使用するために好適ではなくなるときを決定するように前記第２のＣＢＲ閾値を使用することとを行うように構成されている、第１の無線通信ノード。
【請求項６】
周波数の測定されたＣＢＲ値が前記第１のＣＢＲ閾値より小さい場合、前記周波数は、前記サイドリンク通信で使用するために好適な第１のリソースとして選択される、請求項５に記載の第１の無線通信ノード。
【請求項７】
前記第１および第２のＣＢＲ閾値は、それぞれ、個別のサービスの質（ＱｏＳ）要件に関連付けられる、請求項５に記載の第１の無線通信ノード。
【請求項８】
各別個のＱｏＳ要件は、データ優先順位、パケット遅延予算、パケット誤差レート、データレート、および伝送されるべきデータパケットの信頼性のうちの少なくとも１つを示す、請求項７に記載の第１の無線通信ノード。
【請求項９】
第１の無線通信ノードによって実施される方法であって、前記方法は、
第１のチャネルビジー率（ＣＢＲ）閾値と第２のＣＢＲ閾値とを含むダウンリンク信号を第２の無線通信ノードに伝送することを含み、
前記第１および第２のＣＢＲ閾値は、前記第１の無線通信ノードと少なくとも１つの第３の無線通信ノードとの間のサイドリンク通信で使用するための第１のリソースを示すように構成され、
前記第１のＣＢＲ閾値は、前記第１のリソースが前記サイドリンク通信で使用するために好適であるかどうかを決定するように使用され、前記第２のＣＢＲ閾値は、前記第１のリソースが前記サイドリンク通信で使用するために好適ではなくなるときを決定するように使用される、方法。
【請求項１０】
周波数の測定されたＣＢＲ値が前記第１のＣＢＲ閾値より小さい場合、前記周波数は、前記サイドリンク通信で使用するために好適な第１のリソースとして選択される、請求項９に記載の方法。
【請求項１１】
前記第１および第２のＣＢＲ閾値は、それぞれ、個別のサービスの質（ＱｏＳ）要件に関連付けられる、請求項９に記載の方法。
【請求項１２】
各別個のＱｏＳ要件は、データ優先順位、パケット遅延予算、パケット誤差レート、データレート、および伝送されるべきデータパケットの信頼性のうちの少なくとも１つを示す、請求項１１に記載の方法。
【請求項１３】
第１の無線通信ノードであって、
第１のチャネルビジー率（ＣＢＲ）閾値と第２のＣＢＲ閾値とを含むダウンリンク信号を第２の無線通信ノードに伝送するように構成されている、送信機を備え、
前記第１および第２のＣＢＲ閾値は、前記第１の無線通信ノードと少なくとも１つの第３の無線通信ノードとの間のサイドリンク通信で使用するための第１のリソースを示すように構成され、
前記第１のＣＢＲ閾値は、前記第１のリソースが前記サイドリンク通信で使用するために好適であるかどうかを決定するように使用され、前記第２のＣＢＲ閾値は、前記第１のリソースが前記サイドリンク通信で使用するために好適ではなくなるときを決定するように使用される、第１の無線通信ノード。
【請求項１４】
周波数の測定されたＣＢＲ値が前記第１のＣＢＲ閾値より小さい場合、前記周波数は、前記サイドリンク通信で使用するために好適な第１のリソースとして選択される、請求項１３に記載の第１の無線通信ノード。
【請求項１５】
前記第１および第２のＣＢＲ閾値は、それぞれ、個別のサービスの質（ＱｏＳ）要件に関連付けられる、請求項１３に記載の第１の無線通信ノード。
【請求項１６】
各別個のＱｏＳ要件は、データ優先順位、パケット遅延予算、パケット誤差レート、データレート、および伝送されるべきデータパケットの信頼性のうちの少なくとも１つを示す、請求項１５に記載の第１の無線通信ノード。
【請求項１７】
コンピュータ実行可能な命令を記憶している非一過性コンピュータ読み取り可能な媒体であって、前記命令は、実行されると、請求項１〜４および９〜１２のうちのいずれか１項に記載の方法を実施する、非一過性コンピュータ読み取り可能な媒体。
【手続補正２】
【補正対象書類名】明細書
【補正対象項目名】０００９
【補正方法】変更
【補正の内容】
【０００９】
さらに別の実施形態では、第２の無線通信ノードによって実施される方法は、アップリンク信号を第１の無線通信ノードから受信することであって、アップリンク信号は、補助情報を含む、ことと、第１の無線通信ノードが少なくとも１つの第３の無線通信ノードとサイドリンク通信を実施するためのリソース情報を決定することとを含む。
本願明細書は、例えば、以下の項目も提供する。
（項目１）
第１の無線通信ノードによって実施される方法であって、前記方法は、
第１の情報を含むダウンリンク信号を第２の無線通信ノードから受信することと、
前記第１の情報の少なくとも一部に基づいて、第１のリソース情報を決定し、前記第１の無線通信ノードと少なくとも１つの第３の無線通信ノードとの間のサイドリンク通信を実施することと
を含む、方法。
（項目２）
前記第１の情報は、以下：チャネルビジー率の少なくとも１つの閾値、ＰＣ５リンク品質の少なくとも１つの閾値、前記サイドリンク通信のためのサービスタイプと要求されるコンポーネントキャリアの数との間の第１のマッピング、前記サイドリンク通信のためのサービスの質要件と要求されるコンポーネントキャリアの数との間の第２のマッピング、前記サイドリンク通信のための前記サービスタイプと１つ以上の周波数識別との間の第３のマッピング、前記サイドリンク通信のための前記サービスの質要件と１つ以上の周波数識別との間の第４のマッピング、対応する周波数上での前記サイドリンク通信のための利用可能な時間ドメインリソース、および、前記サイドリンク通信のための利用可能な周波数ドメインリソースのうちの少なくとも１つを含む、項目１に記載の方法。
（項目３）
少なくとも前記第１、第２、第３、第４のマッピングに基づいて、候補キャリアの第１のサブセットを決定することと、
前記チャネルビジー率およびＰＣ５リンク品質のうちの少なくとも１つを測定することと、
前記チャネルビジー率およびＰＣ５リンク品質の測定のうちの少なくとも１つを前記それぞれの閾値と比較し、候補キャリアの第２のサブセットを前記第１のサブセットから選択することと、
前記第１のリソース情報を決定し、前記第１の無線通信ノードと前記少なくとも１つの第３の無線通信ノードとの間の前記サイドリンク通信を実施することと
をさらに含む、項目２に記載の方法。
（項目４）
第２の情報を含むサイドリンク信号を前記少なくとも１つの第３の無線通信ノードから受信することと、
前記第２の情報の少なくとも一部に基づいて、第２のリソース情報を決定し、前記第１の無線通信ノードと前記少なくとも１つの第３の無線通信ノードとの間の前記サイドリンク通信を実施することと
をさらに含む、項目１に記載の方法。
（項目５）
前記第１の情報の前記一部および前記第２の情報の前記一部に基づいて、第３のリソース情報を決定し、前記第１の無線通信ノードと前記少なくとも１つの第３の無線通信ノードとの間の前記サイドリンク通信を実施することをさらに含む、項目４に記載の方法。
（項目６）
前記第２の情報は、以下：前記サイドリンク通信のための前記少なくとも１つの第３の無線通信ノードのキャリア集約関連能力、要求されるコンポーネントキャリアの数、および利用可能な周波数ドメインリソース、Ｒｘチェーンの数のうちの少なくとも１つを含む、項目４に記載の方法。
（項目７）
第２の無線通信ノードによって実施される方法であって、前記方法は、情報を含むダウンリンク信号を第１の無線通信ノードに伝送することを含み、
前記情報は、前記第１の無線通信ノードと少なくとも１つの第３の無線通信ノードとの間のサイドリンク通信を実施するためのリソース情報を決定するために、前記第１の無線通信ノードによって使用される、方法。
（項目８）
前記第１の情報は、以下：チャネルビジー率の少なくとも１つの閾値、ＰＣ５リンク品質の少なくとも１つの閾値、前記サイドリンク通信のためのサービスタイプと要求されるコンポーネントキャリアの数との間の第１のマッピング、前記サイドリンク通信のためのサービスの質要件と要求されるコンポーネントキャリアの数との間の第２のマッピング、前記サイドリンク通信のための前記サービスタイプと１つ以上の周波数識別との間の第３のマッピング、前記サイドリンク通信のための前記サービスの質要件と１つ以上の周波数識別との間の第４のマッピング、対応する周波数上での前記サイドリンク通信のための利用可能な時間ドメインリソース、および、前記サイドリンク通信のための利用可能な周波数ドメインリソースのうちの少なくとも１つを含む、項目７に記載の方法。
（項目９）
前記１つ以上の周波数識別、前記時間ドメインリソース、および前記周波数ドメインリソースの各々は、前記第２の無線通信ノードによってサポートされる、項目７に記載の方法。
（項目１０）
前記サービスの質要件は、以下のパラメータ：データ優先順位、データパケット遅延予算、パケット誤差レート、データレート、および、前記サイドリンク通信において伝送されるべき前記データパケットの信頼性要件を含むそれらのうちの少なくとも１つを含む、項目７に記載の方法。
（項目１１）
第１の無線通信ノードによって実施される方法であって、前記方法は、
アップリンク信号を第２の無線通信ノードに伝送することであって、前記アップリンク信号は、前記第１の無線通信ノードが少なくとも１つの第３の無線通信ノードとサイドリンク通信を実施するためのリソース情報を前記第２の無線通信ノードが決定するための補助情報を含む、ことと、
前記リソース情報を含むダウンリンク信号を前記第２の無線通信ノードから受信することと、
前記リソース情報を使用して、少なくとも１つの第３の無線通信ノードと前記サイドリンク通信を実施することと
を含む、方法。
（項目１２）
前記アップリンク信号は、無線リソース制御信号またはＭＡＣ制御要素内に含まれる、項目１１に記載の方法。
（項目１３）
前記補助情報は、以下：論理チャネルグループ識別、サービスタイプ、サービスの質要件、無線ベアラ識別、論理チャネル識別、および、前記第１の無線通信モードのキャリア集約関連能力、周波数識別のうちの少なくとも１つを含む、項目１１に記載の方法。
（項目１４）
前記論理チャネルグループ識別は、１つ以上の構成されたマッピングに基づいて、前記サービスタイプおよび／または前記サービスの質要件を暗に示し、前記論理チャネル識別は、１つ以上の構成されたマッピングに基づいて、前記サービスタイプおよび／または前記サービスの質要件を暗に示し、前記無線ベアラ識別は、１つ以上の構成されたマッピングに基づいて、前記サービスタイプおよび／または前記サービスの質要件を暗に示す、項目１１に記載の方法。
（項目１５）
前記リソース情報は、以下：前記サイドリンク通信のための利用可能な時間ドメインリソース、前記サイドリンク通信のための利用可能な周波数ドメインリソース、および、前記サイドリンク通信のための要求されるコンポーネントキャリアの数のうちの少なくとも１つを含む、項目１１に記載の方法。
（項目１６）
第２の無線通信ノードによって実施される方法であって、前記方法は、
アップリンク信号を第１の無線通信ノードから受信することであって、前記アップリンク信号は、補助情報を含む、ことと、
前記第１の無線通信ノードが少なくとも１つの第３の無線通信ノードとサイドリンク通信を実施するためのリソース情報を決定することと
を含む、方法。
（項目１７）
前記アップリンク信号は、無線リソース制御信号またはＭＡＣ制御要素内に含まれる、項目１６に記載の方法。
（項目１８）
前記補助情報は、以下：論理チャネルグループ識別、サービスタイプ、サービスの質要件、無線ベアラ識別、論理チャネル識別、および前記第１の無線通信モードのキャリア集約関連能力のうちの少なくとも１つを含む、項目１６に記載の方法。
（項目１９）
前記サービスの質要件は、以下のパラメータ：データ優先順位、データパケット遅延予算、パケット誤差レート、データレート、および、前記サイドリンク通信において伝送されるべき前記データパケットの信頼性要件を含むそれらのうちの少なくとも１つを含む、項目１８に記載の方法。
（項目２０）
前記論理チャネルグループ識別は、１つ以上の事前に構成されたマッピングに基づいて、前記サービスタイプおよび／または前記サービスの質要件を暗に示し、前記無線ベアラ識別は、１つ以上の事前に構成されたマッピングに基づいて、前記サービスタイプおよび／または前記サービスの質要件を暗に示す、項目１６に記載の方法。
（項目２１）
前記リソース情報は、以下：前記サイドリンク通信のための利用可能な時間ドメインリソース、前記サイドリンク通信のための利用可能な周波数ドメインリソース、および、前記サイドリンク通信のための要求されるコンポーネントキャリアの数のうちの少なくとも１つを含む、項目１６に記載の方法。
（項目２２）
項目１−２１のいずれかに記載の方法を実行するように構成されたコンピューティングデバイス。
（項目２３）
項目１−２１のいずれかに記載の方法を実行するためのコンピュータ実行可能命令を記憶している非一過性コンピュータ読み取り可能な媒体。
【国際調査報告】
2021503727.tif 000007
2021503727.tif 000008